(57)【要約】【課題】  通信装置の接続先のアクセスポイントを通信装置においてユーザが指定しなくても、通信装置とアクセスポイントとの間の無線接続を確立できる仕組みを提供することを目的とする。【解決手段】  携帯端末１１０は、接続中のアクセスポイントのＳＳＩＤを特定し、更に当該アクセスポイントに接続するためのパスワードの入力をユーザから受け付ける。携帯端末１１０は、ソフトウェアアクセスポイントモードで動作している冷蔵庫１００との間で無線接続を確立し、特定したＳＳＩＤとユーザから受け付けたパスワードを冷蔵庫１００に送信する。冷蔵庫１００は、携帯端末１１０から受信したＳＳＩＤとパスワードに基づいて、アクセスポイントとの間で無線接続を確立する。【選択図】  図１２
2020048186.tif 000002
【特許請求の範囲】
【請求項１】
携帯端末と通信装置とを含むシステムであって、
前記携帯端末は、
前記携帯端末が接続中のアクセスポイントのＳＳＩＤを特定する特定手段と、
前記アクセスポイントに接続するためのパスワードの入力をユーザから受け付ける受付手段と、
前記携帯端末と、ソフトウェアアクセスポイントモードで動作している前記通信装置との間で、無線接続を確立する第１の確立手段と、
前記特定手段が特定した前記ＳＳＩＤと、前記受付手段が受け付けた前記パスワードとを、前記無線接続を介して前記通信装置に送信する送信手段とを備え、
前記通信装置は、
ユーザの指示に応じて、ソフトウェアアクセスポイントモードの動作を開始する開始手段と、
前記送信手段によって前記通信装置に送信された前記ＳＳＩＤと前記パスワードとに基づいて、前記通信装置と前記アクセスポイントとの間で無線接続を確立する第２の確立手段とを備えることを特徴とするシステム。
【請求項２】
前記通信装置は冷蔵庫であることを特徴とする請求項１に記載のシステム。
【請求項３】
携帯端末にインストールされるアプリケーションのプログラムであって、
前記携帯端末が接続中のアクセスポイントのＳＳＩＤを前記携帯端末のＯＳから取得し、
前記アクセスポイントに接続するためのパスワードの入力をユーザから受け付け、
前記携帯端末の接続先を、ソフトウェアアクセスポイントモードで動作している通信装置に変更し、
前記ＯＳから取得した前記ＳＳＩＤと、前記ユーザから受け付けた前記パスワードとを、前記通信装置に送信することを特徴とするプログラム。
【請求項４】
ソフトウェアアクセスポイントモードで動作している前記通信装置に接続するために必要なＳＳＩＤは、予め前記アプリケーションのプログラムに組み込まれていることを特徴とする請求項３に記載のプログラム。
【請求項５】
ソフトウェアアクセスポイントモードで動作している前記通信装置に接続するために必要なＳＳＩＤとパスワードは、予め前記アプリケーションのプログラムに組み込まれていることを特徴とする請求項３に記載のプログラム。
【請求項６】
前記アプリケーションは冷蔵庫用のアプリケーションであり、
前記通信装置は冷蔵庫であることを特徴とする請求項３から５のいずれか１項に記載のプログラム。
【発明の詳細な説明】
【技術分野】
【０００１】
本発明はシステム及びプログラムに関する。
【背景技術】
【０００２】
特許文献１には、周囲のアクセスポイントのＳＳＩＤ（Ｓｅｒｖｉｃｅ  Ｓｅｔ  ＩＤｅｎｔｉｆｉｅｒ）、受信電界強度、混雑情報を表示する通信装置が開示されている。表示されたアクセスポイントの中からユーザが所望のアクセスポイントを選択することで、通信装置とユーザに選択されたアクセスポイントとの間で無線接続が確立する。
【先行技術文献】
【特許文献】
【０００３】
【特許文献１】特開２００５−０３３２８５号公報
【発明の概要】
【発明が解決しようとする課題】
【０００４】
特許文献１のように、通信装置とアクセスポイントとの間で無線接続を確立させる方法は、通信装置が周囲のアクセスポイントを探索して探索結果を表示し、探索結果の中から接続先のアクセスポイントをユーザが指定する方法が一般的である。しかしながら、そもそも表示部を備えていない通信装置が存在する。また、何らかの表示装置を備えていても、接続先のアクセスポイントをユーザが指定する用途には当該表示装置を使いにくい通信装置も存在する。
【０００５】
そこで本発明では、通信装置の接続先のアクセスポイントを通信装置においてユーザが指定しなくても、通信装置とアクセスポイントとの間の無線接続を確立できる仕組みを提供することを目的とする。
【課題を解決するための手段】
【０００６】
上述した課題を解決するために、本発明が提供するシステムは、携帯端末と通信装置とを含むシステムであって、前記携帯端末は、前記携帯端末が接続中のアクセスポイントのＳＳＩＤを特定する特定手段と、前記アクセスポイントに接続するためのパスワードの入力をユーザから受け付ける受付手段と、前記携帯端末と、ソフトウェアアクセスポイントモードで動作している前記通信装置との間で、無線接続を確立する第１の確立手段と、前記特定手段が特定した前記ＳＳＩＤと、前記受付手段が受け付けた前記パスワードとを、前記無線接続を介して前記通信装置に送信する送信手段とを備え、前記通信装置は、ユーザの指示に応じて、ソフトウェアアクセスポイントモードの動作を開始する開始手段と、前記送信手段によって前記通信装置に送信された前記ＳＳＩＤと前記パスワードとに基づいて、前記通信装置と前記アクセスポイントとの間で無線接続を確立する第２の確立手段とを備えることを特徴とする。
【０００７】
また、本発明が提供するプログラムは、携帯端末にインストールされるアプリケーションのプログラムであって、前記携帯端末が接続中のアクセスポイントのＳＳＩＤを前記携帯端末のＯＳから取得し、前記アクセスポイントに接続するためのパスワードの入力をユーザから受け付け、前記携帯端末の接続先を、ソフトウェアアクセスポイントモードで動作している通信装置に変更し、前記ＯＳから取得した前記ＳＳＩＤと、前記ユーザから受け付けた前記パスワードとを、前記通信装置に送信することを特徴とする。
【発明の効果】
【０００８】
本発明によれば、通信装置の接続先のアクセスポイントを通信装置においてユーザが指定しなくても、通信装置とアクセスポイントとの間の無線接続を確立できる。
【図面の簡単な説明】
【０００９】
【図１】システムの概要を示す図である。
【図２】冷蔵庫１００の外観図である。
【図３】冷蔵庫１００のハードウェア構成を示す図である。
【図４】冷蔵庫１００のヒンジカバー４０１を示す図である。
【図５】操作パネル３０４を示す図である。
【図６】携帯端末１１０のハードウェア構成を示す図である。
【図７】携帯端末１１０のソフトウェア構成を示す図である。
【図８】携帯端末１１０が実行する処理を示すフローチャートである。
【図９】携帯端末１１０が表示する画面を示す図である。
【図１０】携帯端末１１０が実行する処理を示すフローチャートである。
【図１１】携帯端末１１０が表示する画面を示す図である。
【図１２】携帯端末１１０が実行する処理を示すフローチャートである。
【図１３】携帯端末１１０が表示する画面を示す図である。
【図１４】冷蔵庫１００が実行する処理を示すフローチャートである。
【図１５】冷蔵庫１００が実行する処理を示すフローチャートである。
【発明を実施するための形態】
【００１０】
以下、本発明の実施形態について、図面を用いて説明する。なお、以下の実施形態は特許請求の範囲に係る発明を限定するものでなく、また実施形態で説明されている特徴の組み合わせの全てが発明の解決手段に必須のものとは限らない。
（実施形態）
図１は、本実施形態のシステムの概要を説明する図である。本実施形態のシステムは、冷蔵庫１００、携帯端末１１０、アクセスポイント１２０から構成される。冷蔵庫１００は通信装置の一例であり、後述する接続手順によってアクセスポイント１２０との間で無線接続を確立し、インターネット上のサーバと通信する。アクセスポイント１２０は、例えば無線ＬＡＮルーターである。携帯端末１１０は、例えばスマートフォンやタブレット端末である。携帯端末１１０は、アクセスポイント１２０との間で無線接続を確立し、インターネット上のサーバと通信する。
【００１１】
図２は、冷蔵庫１００の外観図である。冷蔵庫１００は、複数の貯蔵室、具体的には冷蔵室２０１、製氷室２０２、上段冷凍室２０３、下段冷凍室２０４、野菜室２０５を備える。また、冷蔵室２０１の内部には、パーシャル／チルド切替室が設けられている。
【００１２】
図３は、冷蔵庫１００のハードウェア構成を説明する図である。ＣＰＵ３０１は、ＲＯＭ３０２が記憶している制御プログラムを読み出して、冷蔵庫１００の動作を制御するための様々な処理を実行するプロセッサである。ＲＯＭ３０２は、制御プログラム等の各種データを記憶する不揮発性の記憶媒体である。ＲＡＭ３０３は、一時記憶領域として用いられる揮発性の記憶媒体である。なお、ＣＰＵ３０１、ＲＯＭ３０２、ＲＡＭ３０３の代わりにマイクロコントローラを備え、このマイクロコントローラが冷蔵庫１００の動作を制御するようにしても良い。
【００１３】
操作パネル３０４は、冷蔵庫１００に対するユーザの操作を受け付ける。操作パネル３０４については、後ほど図５を用いて詳しく説明する。
【００１４】
無線ＬＡＮ  Ｉ／Ｆ３０５は、ＩＥＥＥ８０２．１１ａ／ｂ／ｇ／ｎ／ａｃ等の無線ＬＡＮ通信を実行する。無線ＬＡＮ  Ｉ／Ｆ３０５は、図４に示すように、冷蔵室２０１を閉塞するドアのヒンジカバー４０１の内部に収納されている。
【００１５】
無線ＬＡＮ  Ｉ／Ｆ３０５は、アクセスポイント１２０との間で無線接続を確立し、インターネット上のサーバと通信する。また、冷蔵庫１００は、ソフトウェアアクセスポイントモード（以降の説明ではソフトＡＰモードと呼ぶ）で動作可能である。ソフトＡＰモードとは、冷蔵庫１００が無線ＬＡＮのアクセスポイントとして動作するモードである。冷蔵庫１００がソフトＡＰモードで動作する場合、携帯端末１１０と無線ＬＡＮ  Ｉ／Ｆ３０５との間で無線接続が確立し、アクセスポイント１２０のような中継装置を介することなく、携帯端末１１０と冷蔵庫１００とがダイレクトに無線ＬＡＮ通信を実行する。
【００１６】
なお、図３において図示していないが、冷蔵庫１００は、圧縮機、コンデンサ、冷却器等で構成される冷凍サイクルを備えている。冷却器によって生成される冷気によって、冷蔵室２０１等の各貯蔵室は所定の温度帯に冷却されている。
【００１７】
図５は、操作パネル３０４を示す図である。操作パネル３０４は、冷蔵室２０１の庫内の側壁に設けられている。速氷ボタン５０１は、急速に氷を製造するように冷蔵庫１００に指示するためのボタンである。製氷停止ボタン５０２は、氷の製造を停止するように冷蔵庫１００に指示するためのボタンである。冷蔵ボタン５０３と冷凍ボタン５０４は、それぞれ冷蔵室２０１と下段冷凍室２０４の温度を調節するためのボタンである。パーシャルボタン５０５は、パーシャル／チルド切替室の温度を調節するためのボタンである。表示部５０６は、エラーコード等の情報を表示する。
【００１８】
次に遠隔操作ボタン５０７について説明する。冷蔵庫１００の遠隔操作設定がＯＦＦの状態でユーザが遠隔操作ボタン５０７を押すと、遠隔操作設定がＯＮになる。遠隔操作設定がＯＮになると、後述する冷蔵庫アプリケーション７０２からの指示によって冷蔵庫１００の設定を変更することが可能になる。一方、遠隔操作設定がＯＮの状態でユーザが遠隔操作ボタン５０７を押すと、遠隔操作設定がＯＦＦになる。遠隔操作設定がＯＦＦになると、後述する冷蔵庫アプリケーション７０２からの指示によって冷蔵庫１００の設定を変更することができなくなる。
【００１９】
また、遠隔操作設定がＯＮの状態でユーザが遠隔操作ボタン５０７を所定時間（例えば３秒）以上押すと、遠隔操作設定がＯＦＦになるだけでなく、無線ＬＡＮ  Ｉ／Ｆ３０５への電力供給が遮断される。無線ＬＡＮ  Ｉ／Ｆ３０５への電力供給を遮断することで、冷蔵庫１００の消費電力を低減できる。遠隔操作設定がＯＦＦ、かつ、無線ＬＡＮ  Ｉ／Ｆ３０５への電力供給が遮断されている状態でユーザが遠隔操作ボタン５０７を押すと、遠隔操作設定がＯＮになり、かつ、無線ＬＡＮ  Ｉ／Ｆ３０５への電力供給が開始される。
【００２０】
図６は、携帯端末１１０のハードウェア構成を説明する図である。ＣＰＵ６０１は、フラッシュメモリ６０２が記憶している制御プログラムを読み出して、携帯端末１１０の動作を制御するための様々な処理を実行するプロセッサである。フラッシュメモリ６０２は、制御プログラム等の各種データ、携帯端末１１０にインストールされているアプリケーションのプログラムを記憶する不揮発性の記憶媒体である。ＲＡＭ６０３は、一時記憶領域として用いられる揮発性の記憶媒体である。操作部６０４はキーであり、複数のキーが携帯端末１１０に設けられている。表示部６０５はタッチパネルであり、画像や動画等の情報を表示したり、タッチ操作によってユーザから指示を受け付ける。無線ＬＡＮ  Ｉ／Ｆ６０６は、ＩＥＥＥ８０２．１１ａ／ｂ／ｇ／ｎ／ａｃ等の無線ＬＡＮ通信を実行する。無線ＬＡＮ  Ｉ／Ｆ６０６は、アクセスポイント１２０との間で無線接続を確立し、インターネット上のサーバと通信する。カメラ６０７は、撮影機能と、ＱＲコード（登録商標）のような二次元コードを読み取る読み取り機能とを有する。
【００２１】
次に図７を用いて、携帯端末１１０のソフトウェア構成を説明する。図７は、ＣＰＵ６０１がフラッシュメモリ６０２に記憶されている制御プログラムやアプリケーションプログラムを読み出すことで実現されるソフトウェアの機能ブロック図である。
【００２２】
ＯＳ（Ｏｐｅｒａｔｉｎｇ  Ｓｙｓｔｅｍ）７０１は、携帯端末１１０の全体の動作を制御するための基本的なソフトウェアであり、ＣＰＵ６０１が制御プログラムを読み出すことで実現される。また、携帯端末１１０には、様々なアプリケーションをインストールすることができる。ＯＳ７０１は、これらのアプリケーションとの間で情報をやり取りし、アプリケーションから受けた指示に従って携帯端末１１０の動作を制御する。
【００２３】
冷蔵庫アプリケーション７０２は、携帯端末１１０にインストールされているアプリケーションの一つである。冷蔵庫アプリケーション７０２は、冷蔵庫用にユーザに提供されるアプリケーションであり、冷蔵庫１００の設定を冷蔵庫アプリケーション７０２から変更したり、冷蔵庫１００が送信する通知（例えば製氷完了を示す通知）を携帯端末１１０に表示したりする。フラッシュメモリ６０２には、冷蔵庫アプリケーション７０２を実現するための冷蔵庫アプリケーションプログラムが記憶されている。ＣＰＵ６０１が冷蔵庫アプリケーションプログラムを読み出すことで、冷蔵庫アプリケーション７０２が実現される。
【００２４】
次に図８から図１５を用いて、冷蔵庫１００とアクセスポイント１２０との間の無線接続を確立させる手順を説明する。ユーザは、冷蔵庫アプリケーション７０２が提供するガイド画面に従って、冷蔵庫１００をアクセスポイント１２０に接続させる。
【００２５】
携帯端末１１０が実行する処理を、図８、図１０、図１２のフローチャートを用いて説明する。これらのフローチャートに示す各ステップは、フラッシュメモリ６０２に記憶されている制御プログラムと冷蔵庫アプリケーションプログラムを、ＣＰＵ６０１がＲＡＭ６０３に展開して実行することによって実現される。また、携帯端末１１０が表示する画面を、図９、図１１、図３を用いて説明する。
【００２６】
まずステップ８０１において、冷蔵庫アプリケーション７０２は、冷蔵庫１００の操作方法を示す画面を表示する。ここで携帯端末１１０の表示部６０５に表示される画面は、図９（Ａ）の操作画面９００である。操作画面９００によって、ユーザは、冷蔵庫１００の遠隔操作ボタン５０７を３秒以上押す必要があることを把握できる。遠隔操作ボタン５０７が３秒以上押されると、冷蔵庫１００は通常動作モードから無線接続モードに移行する。通常動作モードと無線接続モードについては後ほど詳しく説明する。
【００２７】
次にステップ８０２において、冷蔵庫アプリケーション７０２は、次の画面を表示するか否かを判定する。ユーザが操作画面９００のボタン９０１をタッチすると、次の画面を表示すると冷蔵庫アプリケーション７０２が判定し、処理はステップ８０３に進む。
【００２８】
次にステップ８０３において、冷蔵庫アプリケーション７０２は、冷蔵庫１００をアクセスポイントに接続させる接続方法をユーザが選択するための画面を表示する。ここで携帯端末１１０の表示部６０５に表示される画面は、図９（Ｂ）の選択画面９１０である。選択画面９１０によって、ユーザは、冷蔵庫１００をアクセスポイントに接続させる接続方法として、簡易接続あるいは詳細接続のいずれかを選択できる。
【００２９】
次にステップ８０４において、冷蔵庫アプリケーション７０２は、ユーザが選択した接続方法が簡易接続であるか、又は、詳細接続であるかを判定する。ユーザが選択画面９１０のボタン９１１をタッチすると、ユーザが選択した接続方法が簡易接続であると冷蔵庫アプリケーション７０２が判定し、処理はステップ８０５に進む。一方、ユーザが選択画面９１０のボタン９１２をタッチすると、ユーザが選択した接続方法が詳細接続であると冷蔵庫アプリケーション７０２が判定し、処理は図１０のステップ１００１に進む。
【００３０】
簡易接続について説明する。簡易接続とは、冷蔵庫１００とアクセスポイント１２０とに同時に接続処理を実行させることで、冷蔵庫１００とアクセスポイント１２０との無線接続を容易に確立させる方法である。ステップ８０５において、冷蔵庫アプリケーション７０２は、簡易接続に必要な冷蔵庫１００とアクセスポイントの操作方法を示す画面を表示する。ここで携帯端末１１０の表示部６０５に表示される画面は、図９（Ｃ）の操作画面９２０である。操作画面９２０によって、ユーザは、簡易接続に必要な操作を把握できる。無線接続モードの冷蔵庫１００において操作パネル３０４の冷蔵ボタン５０３が押されると、冷蔵庫１００は接続処理を実行する。また、冷蔵庫１００の接続処理と同じタイミングでアクセスポイント１２０も接続処理を実行することで、冷蔵庫１００とアクセスポイント１２０との間の無線接続が確立する。冷蔵庫１００が実行する接続処理については後ほど詳しく説明する。
【００３１】
次にステップ８０６において、冷蔵庫アプリケーション７０２は、次の画面を表示するか否かを判定する。ユーザが操作画面９２０のボタン９２１をタッチすると、次の画面を表示すると冷蔵庫アプリケーション７０２が判定し、処理はステップ８０７に進む。
【００３２】
次にステップ８０７において、冷蔵庫アプリケーション７０２は、冷蔵庫１００がアクセスポイントに接続したことを確認するようにユーザに促す画面を表示する。ここで携帯端末１１０の表示部６０５に表示される画面は、図９（Ｄ）の確認画面９３０である。確認画面９３０によって、ユーザは、冷蔵庫１００がアクセスポイントに接続したか否かを確認できる。
【００３３】
次に詳細接続について説明する。詳細接続とは、アクセスポイント１２０のＳＳＩＤと、アクセスポイント１２０に接続するために必要なパスワードとを携帯端末１１０から冷蔵庫１００に送信することで、冷蔵庫１００とアクセスポイント１２０との間の無線接続を確立させる方法である。図１０のステップ１００１において、冷蔵庫アプリケーション７０２は、冷蔵庫１００の操作方法を示す画面を表示する。ここで携帯端末１１０の表示部６０５に表示される画面は、図１１（Ａ）の操作画面１１００である。操作画面１１００によって、ユーザは、冷蔵庫１００のパーシャルボタン５０５を押す必要があることを把握できる。無線接続モードの冷蔵庫１００において操作パネル３０４のパーシャルボタン５０５が押されると、冷蔵庫１００はソフトＡＰモードの動作を開始する。
【００３４】
次にステップ１００２において、冷蔵庫アプリケーション７０２は、次の画面を表示するか否かを判定する。ユーザが操作画面１１００のボタン１１０１をタッチすると、次の画面を表示すると冷蔵庫アプリケーション７０２が判定し、処理はステップ１００３に進む。
【００３５】
次にステップ１００３において、冷蔵庫アプリケーション７０２は、携帯端末１１０がアクセスポイントに接続中か否かを判定する。この判定は、携帯端末１１０が接続中のアクセスポイントのＳＳＩＤを、冷蔵庫アプリケーション７０２がＯＳ７０１に問い合わせることで実現される。携帯端末１１０が接続中のアクセスポイントのＳＳＩＤがＯＳ７０１から冷蔵庫アプリケーション７０２に返されれば、携帯端末１１０がアクセスポイントに接続中であると冷蔵庫アプリケーション７０２が判定し、処理はステップ１００４に進む。一方、携帯端末１１０が接続中のアクセスポイントのＳＳＩＤがＯＳ７０１から冷蔵庫アプリケーション７０２に返されなければ、携帯端末１１０がアクセスポイントに接続中ではないと冷蔵庫アプリケーション７０２が判定し、処理はステップ１００８に進む。
【００３６】
次にステップ１００４について説明する。ステップ１００４において、冷蔵庫アプリケーション７０２は、携帯端末１１０が接続中のアクセスポイントのＳＳＩＤを記憶する。携帯端末１１０が接続中のアクセスポイントがアクセスポイント１２０であれば、冷蔵庫アプリケーション７０２はアクセスポイント１２０のＳＳＩＤを記憶する。ステップ１００３及びステップ１００４の処理によって、冷蔵庫アプリケーション７０２は、携帯端末１１０が接続中のアクセスポイントのＳＳＩＤをＯＳ７０１から取得できる。
【００３７】
次にステップ１００５において、冷蔵庫アプリケーション７０２は、ソフトＡＰモードで動作中の冷蔵庫に接続する。冷蔵庫アプリケーション７０２は、ソフトＡＰモードで動作中の冷蔵庫に接続するようにＯＳ７０１に指示し、ＯＳ７０１の制御によって、ソフトＡＰモードで動作中の冷蔵庫に対して携帯端末１１０が接続要求を送信する。本実施形態では、ステップ１００１で説明したように冷蔵庫１００がソフトＡＰモードで動作中であるため、携帯端末１１０が冷蔵庫１００に接続要求を送信する。そして、携帯端末１１０と冷蔵庫１００との間で無線接続が確立する。
【００３８】
ソフトＡＰモードで動作している冷蔵庫１００に携帯端末１１０が接続するためには、冷蔵庫１００のＳＳＩＤと接続に必要なパスワードを携帯端末１１０が特定する必要がある。本実施形態では、冷蔵庫１００の製造時に予め冷蔵庫１００のＳＳＩＤとパスワードが決められていて、かつ、これらのＳＳＩＤとパスワードが冷蔵庫アプリケーション７０２のアプリケーションプログラムに予め組み込まれている。これにより、冷蔵庫アプリケーション７０２がインストールされた時点で、冷蔵庫１００のＳＳＩＤと接続に必要なパスワードを携帯端末１１０が特定することができる。ユーザにしてみれば、冷蔵庫１００のＳＳＩＤを携帯端末１１０上で指定したり、接続に必要なパスワードを携帯端末１１０に入力する必要がないため、ユーザの利便性が向上する。なお、ソフトＡＰモードで動作している冷蔵庫１００に携帯端末１１０が接続する際にパスワードを必要としない運用の場合は、冷蔵庫１００のＳＳＩＤのみを冷蔵庫アプリケーション７０２のアプリケーションプログラムに予め組み込めば良い。
【００３９】
次にステップ１００６において、冷蔵庫アプリケーション７０２は、ソフトＡＰモードで動作中の冷蔵庫への接続が成功したか否かを判定する。ソフトＡＰモードで動作中の冷蔵庫への接続が成功したと冷蔵庫アプリケーション７０２が判定すると、処理は図１２のステップ１２０１に進む。一方、ソフトＡＰモードで動作中の冷蔵庫への接続が失敗したと冷蔵庫アプリケーション７０２が判定すると、処理はステップ１００７に進む。
【００４０】
次に図１２のステップ１２０１について説明する。ステップ１２０１において、冷蔵庫アプリケーション７０２は、アクセスポイントに接続する際に必要なパスワードをユーザが入力するための画面を表示する。ここで携帯端末１１０の表示部６０５に表示される画面は、図１３（Ａ）のパスワード入力画面１３００である。パスワード入力画面１３００の領域１３０１には、ステップ１００４で記憶したＳＳＩＤ（本実施形態ではアクセスポイント１２０のＳＳＩＤ）が表示される。ユーザは、パスワード入力画面１３００に表示されているＳＳＩＤのアクセスポイントに接続するためのパスワードを、入力エリア１３０２に入力する。なお、アクセスポイントに接続するためのパスワードの入力をユーザから受け付けるのは、当該パスワードを冷蔵庫アプリケーション７０２がＯＳ７０１から取得できないためである。
【００４１】
次にステップ１２０２において、冷蔵庫アプリケーション７０２は、パスワードの入力が完了したか否かを判定する。ユーザが入力エリア１３０２にパスワードを入力し、そしてボタン１３０３をタッチすると、パスワードの入力が完了したと冷蔵庫アプリケーション７０２が判定し、処理はステップ１２０３に進む。
【００４２】
次にステップ１２０３において、冷蔵庫アプリケーション７０２は、ステップ１００４で記憶したＳＳＩＤと、ユーザに入力されたパスワードとを、確立済みの無線接続を介して冷蔵庫に送信する。冷蔵庫アプリケーション７０２は、ステップ１００４で記憶したＳＳＩＤとユーザに入力されたパスワードとを送信するようにＯＳ７０１に指示し、ＯＳ７０１の制御によって、携帯端末１１０から冷蔵庫への送信が実現される。本実施形態では、アクセスポイント１２０のＳＳＩＤと、アクセスポイント１２０に接続するために必要なパスワードが冷蔵庫１００に送信される。そして冷蔵庫１００は、受信したＳＳＩＤとパスワードに基づいて、アクセスポイント１２０への接続を試みる。
【００４３】
次にステップ１２０４において、冷蔵庫アプリケーション７０２は、冷蔵庫１００がアクセスポイントに接続したことを確認するようにユーザに促す画面を表示する。ここで携帯端末１１０の表示部６０５に表示される画面は、図１３（Ｂ）の確認画面１３１０である。確認画面１３１０によって、ユーザは、冷蔵庫１００がアクセスポイントに接続したか否かを確認できる。
【００４４】
次にステップ１２０５において、冷蔵庫アプリケーション７０２は、携帯端末１１０の接続先を元のアクセスポイントに戻すか否かを判定する。ユーザが確認画面１３１０のボタン１３１１をタッチする、又は、確認画面１３１０を表示したまま所定時間（例えば５分）経過すると、携帯端末１１０の接続先を元のアクセスポイントに戻すと冷蔵庫アプリケーション７０２が判定し、処理はステップ１２０６に進む。
【００４５】
次にステップ１２０６において、冷蔵庫アプリケーション７０２は、携帯端末１１０の接続先を元のアクセスポイントに戻す。冷蔵庫アプリケーション７０２は、ステップ１００４で記憶したＳＳＩＤのアクセスポイントに接続するようにＯＳ７０１に指示し、ＯＳ７０１の制御によって、携帯端末１１０の接続先が元のアクセスポイントに戻る。本実施形態では、携帯端末１１０の接続先が冷蔵庫１００からアクセスポイント１２０に戻る。
【００４６】
本実施形態では、詳細接続の手順を進めるなかで携帯端末１１０の接続先がアクセスポイント１２０から冷蔵庫１００に変更されている。携帯端末１１０が冷蔵庫１００に接続したままでは、ユーザが携帯端末１１０を普段通り使用することができないという課題がある。本実施形態では、ステップ１２０６の処理によって携帯端末１１０の接続先をアクセスポイント１２０に戻すことができるため、ユーザの利便性が向上する。
【００４７】
次に図１０のフローチャートに戻り、ステップ１００６においてソフトＡＰモードで動作中の冷蔵庫への接続が失敗したと判定された場合の処理について説明する。ステップ１００７において、冷蔵庫アプリケーション７０２は、携帯端末１１０の接続先を元のアクセスポイントに戻す。冷蔵庫アプリケーション７０２は、ステップ１００４で記憶したＳＳＩＤのアクセスポイントに接続するようにＯＳ７０１に指示し、ＯＳ７０１の制御によって、携帯端末１１０の接続先が元のアクセスポイントに戻る。ソフトＡＰモードで動作中の冷蔵庫１００に携帯端末１１０が接続できないということは、詳細接続を続行できないことを示す。そこで本実施形態では、携帯端末１１０の接続先を携帯端末１１０が元々接続していたアクセスポイント１２０に戻すことで、ユーザの利便性を向上させる。また、ステップＳ１００７において、冷蔵庫アプリケーション７０２は、図１１（Ｂ）のエラー画面１１１０を表示しても良い。エラー画面１１１０を確認したユーザが冷蔵庫１００の近くで再度詳細接続を行うことで、ソフトＡＰモードで動作している冷蔵庫１００への携帯端末１１０の接続が成功する可能性がある。
【００４８】
次に、ステップ１００３において携帯端末１１０がアクセスポイントに接続中ではないと判定された場合の処理について説明する。ステップ１００８において、冷蔵庫アプリケーション７０２は、携帯端末をアクセスポイントに接続することをユーザに促す画面を表示する。ここで携帯端末１１０の表示部６０５に表示される画面は、図１１（Ｃ）の確認画面１１２０である。詳細接続を行うには、携帯端末１１０がアクセスポイントに接続していることが必要である。確認画面１１２０を確認したユーザは、携帯端末１１０をアクセスポイントに接続させる必要があることを把握できる。
【００４９】
次に、冷蔵庫１００が実行する処理を、図１４と図１５のフローチャートを用いて説明する。これらのフローチャートに示す各ステップは、ＲＯＭ３０２に記憶されている制御プログラムをＣＰＵ３０１がＲＡＭ３０３に展開して実行することによって実現される。
【００５０】
図９（Ａ）の操作画面９００を確認したユーザが操作パネル３０４の遠隔操作ボタン５０７を３秒以上押すと、ステップ１４０１において、冷蔵庫１００が通常動作モードから無線接続モードに移行する。通常動作モードとは、冷蔵室２０１や冷凍室２０２等の各貯蔵室の温度に基づく冷却動作や、除霜ヒータによる除霜動作など、冷蔵庫１００が通常の動作を行うモードである。一方、無線接続モードとは、簡易接続又は詳細接続によって冷蔵庫１００がアクセスポイントに接続するモードである。
【００５１】
次にステップ１４０２において、冷蔵庫１００は、アクセスポイントとの接続方法が簡易接続であるか、又は、詳細接続であるかを判定する。図９（Ｃ）の操作画面９２０を確認したユーザが操作パネル３０４の冷蔵ボタン５０３を押すと、簡易接続を行うと冷蔵庫１００が判定し、処理はステップ１４０３に進む。一方、図１１（Ａ）の操作画面１１００を確認したユーザが操作パネル３０４のパーシャルボタン５０５を押すと、詳細接続を行うと冷蔵庫１００が判定し、処理はステップ１４０８に進む。
【００５２】
図５で説明した操作パネル３０４の各ボタンの機能は、冷蔵庫１００が通常動作モードで動作している場合に適用されるものであり、冷蔵庫１００が無線接続モードで動作している場合には適用されない。例えば冷蔵ボタン５０３は、通常動作モードにおいては冷蔵室２０１の温度を調節するためのボタンとして使われるが、無線接続モードにおいては冷蔵室２０１の温度を調節するためのボタンとして使われない。無線接続モードにおいて、冷蔵ボタン５０３は、冷蔵庫１００をアクセスポイントに接続させるための指示をユーザが冷蔵庫１００に入力するためのボタンとして使われる。また、パーシャルボタン５０５も冷蔵ボタン５０３と同様に、無線接続モードにおいては冷蔵庫１００をアクセスポイントに接続させるための指示をユーザが冷蔵庫１００に入力するためのボタンとして使われる。通常動作モードで使用するボタン、例えば冷蔵ボタン５０３のように貯蔵室の温度を調節するボタンを無線接続モードにおいても使用することで、無線接続モードのために新たなボタンを追加する必要がなくなる。また、無線接続モードの操作のために新たなボタンを追加するとしても、追加するボタンの数を少なくすることができる。なお、冷蔵ボタン５０３のように貯蔵室の温度を調節するボタンではなく、速氷ボタン５０１のように製氷機能に関するボタンを、冷蔵庫１００をアクセスポイントに接続させるための指示をユーザが冷蔵庫１００に入力するボタンとして使っても良い。
【００５３】
次に簡易接続について説明する。ステップ１４０３において、冷蔵庫１００は、簡易接続の接続処理を実行する。冷蔵庫１００は、ＷＰＳ、ＡＯＳＳ、らくらく無線スタートの各方式に沿った探索処理を時分割、又は、並行して実行する。そして冷蔵庫１００は、同じタイミングでＷＰＳ、ＡＯＳＳ、らくらく無線スタートのいずれかの方式で動作しているアクセスポイントを発見すると、発見したアクセスポイントの間で無線接続を確立する。
【００５４】
次にステップ１４０４において、冷蔵庫１００は、アクセスポイントへの接続が成功したか否かを判定する。ステップ１４０３の接続処理によってアクセスポイントとの間で無線接続を確立すると、アクセスポイントへの接続が成功したと冷蔵庫１００が判定し、処理はステップ１４０５に進む。一方、ステップ１４０３の接続処理を開始してから所定時間（例えば２分）経過してもアクセスポイントとの間で無線接続が確立しなかった場合、アクセスポイントへの接続が失敗したと冷蔵庫１００が判定し、処理はステップ１４０７に進む。
【００５５】
次にステップ１４０５において、冷蔵庫１００は、アクセスポイントに接続したことをユーザに通知する。冷蔵庫１００の冷蔵室の２０１の扉にＬＥＤ等の照明装置が設けられていて、冷蔵庫１００は、このＬＥＤを所定の色（例えば青色）に点灯させることで、アクセスポイントに接続したことをユーザに通知する。なお、アクセスポイントに接続したことをユーザに通知する方法はＬＥＤ等の照明装置の点灯に限らず、アクセスポイントに接続したことをユーザに通知する音声メッセージを冷蔵庫１００が出力しても良い。また、所定のスマートスピーカーに対して、アクセスポイントに接続したことをユーザに通知する音声メッセージを出力するように冷蔵庫１００が指示することで、当該音声メッセージをスマートスピーカーが出力しても良い。
【００５６】
次にステップ１４０６において、冷蔵庫１００は、無線接続モードから通常動作モードに戻るか否かを判定する。ステップ１４０５の処理を実行してから所定時間（例えば１分）経過すると、無線接続モードから通常動作モードに戻ると冷蔵庫１００が判定し、処理はステップ１４０７に進む。
【００５７】
次にステップ１４０７において、冷蔵庫１００は、無線接続モードから通常動作モードに戻る。なお、ステップ１４０４においてアクセスポイントへの接続が失敗したと判定された場合も、処理はステップ１４０７に進み、冷蔵庫１００が無線接続モードから通常動作モードに戻る。
【００５８】
次に詳細接続について説明する。ステップ１４０８において、冷蔵庫１００は、ソフトＡＰモードの動作を開始する。ソフトＡＰモードで動作する冷蔵庫１００のＳＳＩＤと、ソフトＡＰモードで動作している冷蔵庫１００に外部装置が接続するためのパスワードは、冷蔵庫１００の製造時に予め決められているものである。また、これらのＳＳＩＤとパスワードは、冷蔵庫アプリケーション７０２のアプリケーションプログラムに予め組み込まれているものと一致する。なお、ソフトＡＰモードで動作している冷蔵庫１００に外部装置が接続する際にパスワードを必要としない運用も可能である。この運用の場合は、冷蔵庫１００のＳＳＩＤのみを冷蔵庫アプリケーション７０２のアプリケーションプログラムに予め組み込めば良い。
【００５９】
次に図１５のステップ１５０１において、冷蔵庫１００は、ソフトＡＰモードで動作する冷蔵庫１００に対する接続要求を外部装置から受信したか否かを判定する。本実施形態では、ソフトＡＰモードで動作する冷蔵庫１００に対して、携帯端末１１０が接続要求を送信する（図１０のステップ１００５を参照）。接続要求を冷蔵庫１００が受信すると、処理はステップ１５０２に進む。一方、ソフトＡＰモードの動作を開始してから所定時間（例えば２分）、ソフトＡＰモードで動作する冷蔵庫１００に対する接続要求が発生しなかった場合、処理はステップ１５０８に進む。
【００６０】
次にステップ１５０２において、冷蔵庫１００は、接続要求の送信元の外部装置との間で、無線接続を確立する。本実施形態では、冷蔵庫１００と携帯端末１１０との間で無線接続が確立する。
【００６１】
次にステップ１５０３において、冷蔵庫１００は、冷蔵庫１００に接続した外部装置から、アクセスポイントのＳＳＩＤと当該アクセスポイントに接続するためのパスワードを受信したか否かを判定する。本実施形態では、アクセスポイント１２０のＳＳＩＤと、アクセスポイント１２０に接続するためのパスワードとを、携帯端末１１０が冷蔵庫１００に送信する（図１２のステップ１２０３を参照）。アクセスポイントのＳＳＩＤと当該アクセスポイントに接続するためのパスワードを冷蔵庫１００が外部装置から受信すると、処理はステップ１５０４に進む。一方、冷蔵庫１００と外部装置との間で無線接続を確立してから所定時間（例えば２分）、アクセスポイントのＳＳＩＤと当該アクセスポイントに接続するためのパスワードを冷蔵庫１００が受信しなかった場合、処理はステップ１５０８に進む。
【００６２】
次にステップ１５０４において、冷蔵庫１００は、外部装置から受信したＳＳＩＤとパスワードに基づいて、アクセスポイントに接続する。本実施形態では、冷蔵庫１００はアクセスポイント１２０との間で無線接続を確立する。
【００６３】
次にステップ１５０５において、冷蔵庫１００は、アクセスポイントへの接続が成功したか否かを判定する。アクセスポイントへの接続が成功したと冷蔵庫１００が判定すると、処理はステップ１５０６に進む。一方、アクセスポイントへの接続が失敗したと冷蔵庫１００が判定すると、処理はステップ１５０８に進む。
【００６４】
次にステップ１５０６において、冷蔵庫１００は、アクセスポイントに接続したことをユーザに通知する。ステップ１５０６の処理は、図１４のステップ１４０５で説明した処理と同様である。なお、ステップ１５０６はステップ１４０５とは異なり、冷蔵庫１００は、アクセスポイント１２０だけではなく携帯端末１１０との間でも無線接続を確立している。そこで、アクセスポイントに接続したことを冷蔵庫１００が携帯端末１１０の冷蔵庫アプリケーション７０２に通知し、当該通知を受けた冷蔵庫アプリケーション７０２が、冷蔵庫１００がアクセスポイントに接続したことを表示部６０５に表示しても良い。
【００６５】
次にステップ１５０７において、冷蔵庫１００は、無線接続モードから通常動作モードに戻るか否かを判定する。ステップ１５０６の処理を実行してから所定時間（例えば１分）経過した場合、又は、冷蔵庫１００と携帯端末１１０との間の無線接続が切断された場合に、無線接続モードから通常動作モードに戻ると冷蔵庫１００が判定し、処理はステップ１５０８に進む。
【００６６】
次にステップ１５０８において、冷蔵庫１００は、無線接続モードから通常動作モードに戻る。また、ステップ１５０８において、冷蔵庫１００はソフトＡＰモードの動作を終了する。なお、ステップ１５０１において外部装置から接続要求を受信しないと判定された場合も、処理はステップ１５０８に進み、冷蔵庫１００が無線接続モードから通常動作モードに戻る。また、ステップ１５０３においてＳＳＩＤとパスワードを受信しないと判定された場合も、処理はステップ１５０８に進み、冷蔵庫１００が無線接続モードから通常動作モードに戻る。また、ステップ１５０５においてアクセスポイントへの接続が失敗したと判定された場合も、処理はステップ１５０８に進み、冷蔵庫１００が無線接続モードから通常動作モードに戻る。
【００６７】
以上の説明の通り、詳細接続の手順において携帯端末１１０の冷蔵庫アプリケーション７０２は、アクセスポイント１２０のＳＳＩＤとアクセスポイント１２０に接続するためのパスワードを冷蔵庫１００に送信する。そして冷蔵庫１００は、受信したＳＳＩＤとパスワードに基づいて、アクセスポイント１２０との間で無線接続を確立する。これにより、冷蔵庫１００の接続先のアクセスポイント１２０を冷蔵庫１００においてユーザが指定しなくても、冷蔵庫１００とアクセスポイント１２０との間の無線接続を確立できる。
（変形例）
上述の実施形態で説明した冷蔵庫１００とアクセスポイント１２０との間で無線接続を確立する接続方法は、無線ＬＡＮ通信機能を備える他の通信装置にも適用できる。例えば、無線ＬＡＮ通信機能を備える洗濯機、エアコン、電子レンジ、炊飯器、食器洗い乾燥機、デジタルカメラ、印刷装置等の通信装置にも、上述の実施形態で説明した接続方法を適用できる。
【符号の説明】
【００６８】
１００  冷蔵庫
１１０  携帯端末
１２０  アクセスポイント
３０４  操作パネル
３０５  無線ＬＡＮ  Ｉ／Ｆ
６０５  表示部
６０６  無線ＬＡＮ  Ｉ／Ｆ
７０１  ＯＳ
７０２  冷蔵庫アプリケーション
【図１】
2020048186.tif 000003
【図２】
2020048186.tif 000004
【図３】
2020048186.tif 000005
【図４】
2020048186.tif 000006
【図５】
2020048186.tif 000007
【図６】
2020048186.tif 000008
【図７】
2020048186.tif 000009
【図８】
2020048186.tif 000010
【図９】
2020048186.tif 000011
【図１０】
2020048186.tif 000012
【図１１】
2020048186.tif 000013
【図１２】
2020048186.tif 000014
【図１３】
2020048186.tif 000015
【図１４】
2020048186.tif 000016
【図１５】
2020048186.tif 000017
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
携帯端末にインストールされるアプリケーションによって実現される制御方法であって、
通信装置をソフトウェアアクセスポントモードで動作させることをユーザに促すための画面を表示する表示ステップと、
前記アプリケーションに予め組み込まれているＳＳＩＤとパスワードを用いて、前記携帯端末を前記ソフトウェアアクセスポントモードで動作中の前記通信装置に接続させる接続ステップと、
アクセスポイントのＳＳＩＤと、前記アクセスポイントに接続するためのパスワードとを、前記通信装置に送信する送信ステップとを有することを特徴とする制御方法。
【請求項２】
前記携帯端末が接続中のアクセスポイントのＳＳＩＤを、前記携帯端末のＯＳから取得する取得ステップと、
前記アクセスポイントに接続するためのパスワードの指定をユーザから受け付ける受付ステップとを更に有し、
前記接続ステップにおいて、前記携帯端末の接続先が前記アクセスポイントから前記ソフトウェアアクセスポントモードで動作中の前記通信装置に変更され、
前記送信ステップにおいて、前記取得ステップで取得したＳＳＩＤと、前記受付ステップで受け付けたパスワードとが前記通信装置に送信されることを特徴とする請求項１に記載の制御方法。
【請求項３】
前記受付ステップにおいて、前記アクセスポイントに接続するためのパスワードをユーザが入力するための入力画面が表示され、
前記入力画面には、前記取得ステップで取得したＳＳＩＤが表示されることを特徴とする請求項２に記載の制御方法。
【請求項４】
前記取得ステップで取得したＳＳＩＤと前記受付ステップで受け付けたパスワードとを前記通信装置に送信した後に、前記携帯端末の接続先を前記通信装置から前記アクセスポイントに戻す制御ステップを更に有することを特徴とする請求項２又は３に記載の制御方法。
【請求項５】
携帯端末にインストールされるアプリケーションのプログラムであって、
通信装置をソフトウェアアクセスポントモードで動作させることをユーザに促すための画面を表示し、
前記アプリケーションに予め組み込まれているＳＳＩＤとパスワードを用いて、前記携帯端末を前記ソフトウェアアクセスポントモードで動作中の前記通信装置に接続させ、
アクセスポイントのＳＳＩＤと、前記アクセスポイントに接続するためのパスワードとを、前記通信装置に送信することを特徴とするプログラム。
【請求項６】
前記携帯端末が接続中のアクセスポイントのＳＳＩＤを前記携帯端末のＯＳから取得し、
前記アクセスポイントに接続するためのパスワードの指定をユーザから受け付け、
前記携帯端末が前記ソフトウェアアクセスポントモードで動作中の前記通信装置に接続することで、前記携帯端末の接続先が前記アクセスポイントから前記通信装置に変更され、
前記通信装置に送信されるＳＳＩＤは、前記携帯端末のＯＳから取得したＳＳＩＤであり、前記通信装置に送信されるパスワードは、ユーザから受け付けたパスワードであることを特徴とする請求項５に記載のプログラム。
【請求項７】
前記アクセスポイントに接続するためのパスワードをユーザが入力するための入力画面を表示し、
前記入力画面を介して前記アクセスポイントに接続するためのパスワードの指定をユーザから受け付け、
前記入力画面には、前記携帯端末のＯＳから取得したＳＳＩＤが表示されることを特徴とする請求項６に記載のプログラム。
【請求項８】
前記携帯端末のＯＳから取得したＳＳＩＤとユーザから受け付けたパスワードとを前記通信装置に送信した後に、前記携帯端末の接続先を前記通信装置から前記アクセスポイントに戻すことを特徴とする請求項６又は７に記載のプログラム。
【手続補正３】
【補正対象書類名】明細書
【補正対象項目名】０００１
【補正方法】変更
【補正の内容】
【０００１】
本発明は制御方法及びプログラムに関する。
【手続補正４】
【補正対象書類名】明細書
【補正対象項目名】０００６
【補正方法】変更
【補正の内容】
【０００６】
上述した課題を解決するために、本発明が提供する制御方法は、携帯端末にインストールされるアプリケーションによって実現される制御方法であって、通信装置をソフトウェアアクセスポントモードで動作させることをユーザに促すための画面を表示する表示ステップと、アプリケーションに予め組み込まれているＳＳＩＤとパスワードを用いて、携帯端末を前記ソフトウェアアクセスポントモードで動作中の通信装置に接続させる接続ステップと、アクセスポイントのＳＳＩＤと、アクセスポイントに接続するためのパスワードとを、通信装置に送信する送信ステップとを有することを特徴とする。
【手続補正５】
【補正対象書類名】明細書
【補正対象項目名】０００７
【補正方法】変更
【補正の内容】
【０００７】
また、本発明が提供するプログラムは、携帯端末にインストールされるアプリケーションのプログラムであって、通信装置をソフトウェアアクセスポントモードで動作させることをユーザに促すための画面を表示し、アプリケーションに予め組み込まれているＳＳＩＤとパスワードを用いて、携帯端末をソフトウェアアクセスポントモードで動作中の通信装置に接続させ、アクセスポイントのＳＳＩＤと、アクセスポイントに接続するためのパスワードとを、通信装置に送信することを特徴とする。
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
携帯端末にインストールされるアプリケーションによって実現される制御方法であって、
ソフトウェアアクセスポントモードで動作中の通信装置に接続するように前記携帯端末のＯＳに指示する指示ステップと、
アクセスポイントのＳＳＩＤと、前記アクセスポイントに接続するためのパスワードとを、前記通信装置に送信する送信ステップとを有し、
前記ソフトウェアアクセスポントモードで動作する前記通信装置のＳＳＩＤと、前記ソフトウェアアクセスポントモードで動作する前記通信装置に接続するためのパスワードは、前記アプリケーションに予め組み込まれていることを特徴とする制御方法。
【請求項２】
前記携帯端末が接続中のアクセスポイントのＳＳＩＤを、前記ＯＳから取得する取得ステップと、
前記アクセスポイントに接続するためのパスワードの入力をユーザから受け付ける受付ステップとを有し、
前記送信ステップにおいて、前記取得ステップで取得したＳＳＩＤと、前記受付ステップで受け付けたパスワードとが前記通信装置に送信されることを特徴とする請求項１に記載の制御方法。
【請求項３】
ユーザから特定の操作を受け付けたことに基づいて、前記指示ステップが実行されることを特徴とする請求項１又は２に記載の制御方法。
【請求項４】
前記通信装置をソフトウェアアクセスポントモードで動作させることをユーザに促すための画面を表示する表示ステップを有し、
前記特定の操作は、前記画面に対して入力される、次の工程に進むことを示すユーザの操作であることを特徴とする請求項３に記載の制御方法。
【請求項５】
前記画面は、前記通信装置を前記ソフトウェアアクセスポントモードで動作させるために、前記通信装置の特定のボタンを押すことをユーザに促す画面であることを特徴とする請求項４に記載の制御方法。
【請求項６】
携帯端末にインストールされる冷蔵庫アプリケーションによって実現される制御方法であって、
ソフトウェアアクセスポントモードで動作中の冷蔵庫に接続するように前記携帯端末のＯＳに指示する指示ステップと、
アクセスポイントのＳＳＩＤと、前記アクセスポイントに接続するためのパスワードとを、前記冷蔵庫に送信する送信ステップとを有し、
前記ソフトウェアアクセスポントモードで動作する前記冷蔵庫のＳＳＩＤと、前記ソフトウェアアクセスポントモードで動作する前記冷蔵庫に接続するためのパスワードは、前記冷蔵庫アプリケーションに予め組み込まれていることを特徴とする制御方法。
【請求項７】
前記携帯端末が接続中のアクセスポイントのＳＳＩＤを、前記ＯＳから取得する取得ステップと、
前記アクセスポイントに接続するためのパスワードの入力をユーザから受け付ける受付ステップとを有し、
前記送信ステップにおいて、前記取得ステップで取得したＳＳＩＤと、前記受付ステップで受け付けたパスワードとが前記冷蔵庫に送信されることを特徴とする請求項６に記載の制御方法。
【請求項８】
ユーザから特定の操作を受け付けたことに基づいて、前記指示ステップが実行されることを特徴とする請求項６又は７に記載の制御方法。
【請求項９】
前記冷蔵庫を前記ソフトウェアアクセスポントモードで動作させることをユーザに促すための画面を表示する表示ステップを有し、
前記特定の操作は、前記画面に対して入力される、次の工程に進むことを示すユーザの操作であることを特徴とする請求項８に記載の制御方法。
【請求項１０】
前記画面は、前記冷蔵庫を前記ソフトウェアアクセスポントモードで動作させるために、前記冷蔵庫の特定のボタンを押すことをユーザに促す画面であることを特徴とする請求項９に記載の制御方法。
【請求項１１】
前記特定のボタンは前記冷蔵庫の庫内に設けられていることを特徴とする請求項１０に記載の制御方法。
【請求項１２】
携帯端末にインストールされるアプリケーションのプログラムであって、
ソフトウェアアクセスポントモードで動作中の通信装置に接続するように前記携帯端末のＯＳに指示する指示ステップと、
アクセスポイントのＳＳＩＤと、前記アクセスポイントに接続するためのパスワードとを、前記通信装置に送信する送信ステップとを実行するためのプログラムであり、
前記ソフトウェアアクセスポントモードで動作する前記通信装置のＳＳＩＤと、前記ソフトウェアアクセスポントモードで動作する前記通信装置に接続するためのパスワードが予め組み込まれていることを特徴とするプログラム。
【請求項１３】
前記携帯端末が接続中のアクセスポイントのＳＳＩＤを、前記ＯＳから取得する取得ステップと、
前記アクセスポイントに接続するためのパスワードの入力をユーザから受け付ける受付ステップとを有し、
前記送信ステップにおいて、前記取得ステップで取得したＳＳＩＤと、前記受付ステップで受け付けたパスワードとが前記通信装置に送信されることを特徴とする請求項１２に記載のプログラム。
【請求項１４】
ユーザから特定の操作を受け付けたことに基づいて、前記指示ステップが実行されることを特徴とする請求項１２又は１３に記載のプログラム。
【請求項１５】
前記通信装置をソフトウェアアクセスポントモードで動作させることをユーザに促すための画面を表示する表示ステップを有し、
前記特定の操作は、前記画面に対して入力される、次の工程に進むことを示すユーザの操作であることを特徴とする請求項１４に記載のプログラム。
【請求項１６】
前記画面は、前記通信装置を前記ソフトウェアアクセスポントモードで動作させるために、前記通信装置の特定のボタンを押すことをユーザに促す画面であることを特徴とする請求項１５に記載のプログラム。
【請求項１７】
携帯端末にインストールされる冷蔵庫アプリケーションのプログラムあって、
ソフトウェアアクセスポントモードで動作中の冷蔵庫に接続するように前記携帯端末のＯＳに指示する指示ステップと、
アクセスポイントのＳＳＩＤと、前記アクセスポイントに接続するためのパスワードとを、前記冷蔵庫に送信する送信ステップとを実行するためのプログラムであり、
前記ソフトウェアアクセスポントモードで動作する前記冷蔵庫のＳＳＩＤと、前記ソフトウェアアクセスポントモードで動作する前記冷蔵庫に接続するためのパスワードが予め組み込まれていることを特徴とするプログラム。
【請求項１８】
前記携帯端末が接続中のアクセスポイントのＳＳＩＤを、前記ＯＳから取得する取得ステップと、
前記アクセスポイントに接続するためのパスワードの入力をユーザから受け付ける受付ステップとを有し、
前記送信ステップにおいて、前記取得ステップで取得したＳＳＩＤと、前記受付ステップで受け付けたパスワードとが前記冷蔵庫に送信されることを特徴とする請求項１７に記載のプログラム。
【請求項１９】
ユーザから特定の操作を受け付けたことに基づいて、前記指示ステップが実行されることを特徴とする請求項１７又は１８に記載のプログラム。
【請求項２０】
前記冷蔵庫を前記ソフトウェアアクセスポントモードで動作させることをユーザに促すための画面を表示する表示ステップを有し、
前記特定の操作は、前記画面に対して入力される、次の工程に進むことを示すユーザの操作であることを特徴とする請求項１９に記載のプログラム。
【請求項２１】
前記画面は、前記冷蔵庫を前記ソフトウェアアクセスポントモードで動作させるために、前記冷蔵庫の特定のボタンを押すことをユーザに促す画面であることを特徴とする請求項２０に記載のプログラム。
【請求項２２】
前記特定のボタンは前記冷蔵庫の庫内に設けられていることを特徴とする請求項２１に記載のプログラム。

【手続補正２】
【補正対象書類名】明細書
【補正対象項目名】０００６
【補正方法】変更
【補正の内容】
【０００６】
上述した課題を解決するために、本発明が提供する制御方法は、携帯端末にインストールされるアプリケーションによって実現される制御方法であって、ソフトウェアアクセスポントモードで動作中の通信装置に接続するように携帯端末のＯＳに指示する指示ステップと、アクセスポイントのＳＳＩＤと、アクセスポイントに接続するためのパスワードとを、通信装置に送信する送信ステップとを有し、ソフトウェアアクセスポントモードで動作する通信装置のＳＳＩＤと、ソフトウェアアクセスポントモードで動作する通信装置に接続するためのパスワードは、アプリケーションに予め組み込まれていることを特徴とする。
【手続補正３】
【補正対象書類名】明細書
【補正対象項目名】０００７
【補正方法】変更
【補正の内容】
【０００７】
また、本発明が提供するプログラムは、携帯端末にインストールされるアプリケーションのプログラムであって、ソフトウェアアクセスポントモードで動作中の通信装置に接続するように携帯端末のＯＳに指示する指示ステップと、アクセスポイントのＳＳＩＤと、アクセスポイントに接続するためのパスワードとを、通信装置に送信する送信ステップとを実行するためのプログラムであり、ソフトウェアアクセスポントモードで動作する通信装置のＳＳＩＤと、ソフトウェアアクセスポントモードで動作する通信装置に接続するためのパスワードが予め組み込まれていることを特徴とする。